(57)【特許請求の範囲】
【請求項１】
シート材の面内の一部分を凸状に変形させることによって、商品を収納可能な収納凹部と前記収納凹部の開口縁から外側に延出されたフランジ部とが形成されているカバー部材と、
前記フランジ部に接着され且つ前記収納凹部の開口を閉塞する閉塞シートと、を有するブリスター容器において、
前記閉塞シートが、その一方向に引き裂き性を有し、
前記閉塞シート上には、閉塞シートの一方向に延びる第１側辺及び第２側辺を有する案内シートが積層され、
前記案内シートの第１側辺の延長線上又はこの延長線の近傍に対応する前記閉塞シートの一方向一端縁部には、第１切り込み線が形成され、且つ、前記案内シートの第２側辺の延長線上又はこの延長線の近傍に対応する前記閉塞シートの一方向一端縁部には、第２切り込み線が形成されている、ことを特徴とするブリスター容器。
【請求項２】
シート材の面内の一部分を凸状に変形させることによって、商品を収納可能な収納凹部と前記収納凹部の開口縁から外側に延出されたフランジ部とが形成されているカバー部材と、
前記フランジ部に接着され且つ前記収納凹部の開口を閉塞する閉塞シートと、を有するブリスター容器において、
前記閉塞シートが、その一方向に引き裂き性を有し、
前記閉塞シート上には、閉塞シートの一方向に延びる第１側辺及び第２側辺と、前記第１側辺の一端及び第２側辺の一端にそれぞれ連なる傾斜状又は円弧状の第１コーナー辺及び第２コーナー辺と、を有する案内シートが積層され、
前記案内シートの第１コーナー辺の一端から他端の間に対応する前記閉塞シートの一方向一端縁部には、第１切り込み線が形成され、且つ、前記案内シートの第２コーナー辺の一端から他端の間に対応する前記閉塞シートの一方向一端縁部には、第２切り込み線が形成されている、ことを特徴とするブリスター容器。
【請求項３】
前記閉塞シートの第１側辺の外側には、第１側辺側へ上向きに傾斜した導き用切り目が刻設されている、請求項１又は２に記載のブリスター容器。
【請求項４】
前記閉塞シートの第１側辺の外側には、第１側辺側へ上向きに傾斜した第１導き用切り目が刻設され、且つ、前記閉塞シートの第２側辺の外側には、第２側辺側へ上向きに傾斜した傾斜状の第２導き用切り目が刻設されており、
前記第１切り込み線が、前記第１側辺から前記第１導き用切り目の下端の間に対応する前記閉塞シートの一方向一端縁部に形成され、且つ前記第２切り込み線が、前記第２側辺から前記第２導き用切り目の下端の間に対応する前記閉塞シートの一方向一端縁部に形成されている、請求項１又は２に記載のブリスター容器。
【発明の詳細な説明】
【技術分野】
【０００１】
本発明は、カバー部材の収納凹部に商品を入れた後、閉塞シートで封緘するブリスター容器に関する。
【背景技術】
【０００２】
従来、乾電池、化粧品、おもちゃなどの各種商品を包装する形態として、ブリスター容器が知られている。
ブリスター容器は、合成樹脂製透明シートから形成されたカバー部材であって、一部分に商品を収納する収納凹部が形成され且つ該収納凹部の開口縁からフランジ部が延出されたカバー部材と、前記収納凹部の開口を閉塞するようにして前記フランジ部に接着された閉塞シートと、を有する。
【０００３】
閉塞シートは、収納凹部に入れられた商品を封緘するために、カバー部材のフランジ部に接着されている。
かかるブリスター容器において、商品を取り出す際には、閉塞シートをカバー部材から剥離すればよいが、通常、閉塞シートは、フランジ部に強固に接着されているため、容易に剥離できない。
閉塞シートを容易に開封するため、収納凹部の開口縁形状に沿った開封用のミシン目が閉塞シートに形成されたブリスター容器が知られている（例えば、特許文献１）。
【０００４】
しかしながら、従来のブリスター容器は、その流通過程において、前記開封用のミシン目が破断し、商品がカバー部材から抜け落ちるおそれがある。特に、収納凹部内に重たい商品を収納した場合や、収納凹部内で自由に移動できるように商品が収納されている場合には、商品が閉塞シートの内面に当たることによって、ミシン目が予期せずに破断し易い。
このような予期せぬ破断に起因する商品の脱落を防止するためには、上記開封用のミシン目を形成しなければよいが、そうすると、閉塞シートを破いたときに、閉塞シートの面内に、無秩序な方向の破れ線が生じ、閉塞シートの面内において、良好且つ綺麗な取出し口を形成できない。
【先行技術文献】
【特許文献】
【０００５】
【特許文献１】特開２００５−１８６９６４号公報
【発明の概要】
【発明が解決しようとする課題】
【０００６】
本発明の目的は、流通過程において閉塞シートが破損せず、一方、開封したいときに閉塞シートを容易に破いて良好な取出し口を形成できるブリスター容器を提供することである。
【課題を解決するための手段】
【０００７】
本発明の第１のブリスター容器は、シート材の面内の一部分を凸状に変形させることによって、商品を収納可能な収納凹部と前記収納凹部の開口縁から外側に延出されたフランジ部とが形成されているカバー部材と、前記フランジ部に接着され且つ前記収納凹部の開口を閉塞する閉塞シートと、を有し、前記閉塞シートが、その一方向に引き裂き性を有し、前記閉塞シート上には、閉塞シートの一方向に延びる第１側辺及び第２側辺を有する案内シートが積層され、前記案内シートの第１側辺の延長線上又はこの延長線の近傍に対応する前記閉塞シートの一方向一端縁部には、第１切り込み線が形成され、且つ、前記案内シートの第２側辺の延長線上又はこの延長線の近傍に対応する前記閉塞シートの一方向一端縁部には、第２切り込み線が形成されている。
【０００８】
上記本発明の第１のブリスター容器は、従来のブリスター容器のような開封用のミシン目が閉塞シートに形成されていない。このため、本発明のブリスター容器は、流通過程において、閉塞シートの破損に起因して、商品が抜け出るおそれがない。
また、上記本発明のブリスター容器は、一方向に引き裂き性を有する閉塞シートに、その一方向（閉塞シートの引き裂き方向と平行な方向）に延びる第１側辺及び第２側辺を有する案内シートが積層されている。さらに、案内シートの第１側辺及び第２側辺の延長線上又はこの延長線の近傍に対応する前記閉塞シートの一方向一端縁部には、第１切り込み線及び第２切り込み線がそれぞれ形成されている。
この第１及び第２切り込み線を開封起点として、閉塞シートをその一端縁部から破いていくと、閉塞シートの引き裂き性に従って、前記第１及び第２切り込み線から一方向に向かって破れ線がそれぞれ生じる。この両破れ線が、案内シートの第１側辺及び第２側辺に至ると、閉塞シートの前記引き裂き性と相乗して、第１側辺及び第２側辺に沿って閉塞シートが破れていく。よって、閉塞シートの面内に、ほぼ平行な２本の破れ線が生じ、この２本の破れ線で囲われた部分が除かれることによって、案内シートの幅と略同幅の取出し口が形成される。
本発明のブリスター容器によれば、破れ線が無秩序な方向に生じないので、商品を取り出すことができる良好な取出し口を形成できる。
【０００９】
本発明の第２のブリスター容器は、シート材の面内の一部分を凸状に変形させることによって、商品を収納可能な収納凹部と前記収納凹部の開口縁から外側に延出されたフランジ部とが形成されているカバー部材と、前記フランジ部に接着され且つ前記収納凹部の開口を閉塞する閉塞シートと、を有し、前記閉塞シートが、その一方向に引き裂き性を有し、前記閉塞シート上には、閉塞シートの一方向に延びる第１側辺及び第２側辺と、前記第１側辺の一端及び第２側辺の一端にそれぞれ連なる傾斜状又は円弧状の第１コーナー辺及び第２コーナー辺と、を有する案内シートが積層され、前記案内シートの第１コーナー辺の一端から他端の間に対応する前記閉塞シートの一方向一端縁部には、第１切り込み線が形成され、且つ、前記案内シートの第２コーナー辺の一端から他端の間に対応する前記閉塞シートの一方向一端縁部には、第２切り込み線が形成されている。
【００１０】
上記本発明の第２のブリスター容器は、開封用のミシン目が閉塞シートに形成されていないので、流通過程において、商品が抜け出るおそれがない。
また、上記第２のブリスター容器は、一方向に引き裂き性を有する閉塞シートに、その一方向に延びる第１側辺及び第２側辺と第１コーナー辺及び第２コーナー辺とを有する案内シートが積層されている。さらに、案内シートの第１コーナー辺及び第２コーナー辺の一端から他端の間に対応する閉塞シートの一方向一端縁部には、第１切り込み線及び第２切り込み線がそれぞれ形成されている。
この第１及び第２切り込み線を開封起点として、閉塞シートをその一端縁部から破いていくと、閉塞シートの引き裂き性に従って、前記第１及び第２切り込み線から一方向に向かって破れ線がそれぞれ生じる。この両破れ線が、案内シートの第１コーナー辺及び第２コーナー辺に至ると、それら各コーナー辺の形状に沿って両破れ線が生じ、第１側辺及び第２側辺へと至る。事後、上記第１のブリスター容器と同様に、閉塞シートの引き裂き性と相乗して、第１側辺及び第２側辺に沿って閉塞シートが破れていく。よって、閉塞シートの面内に、ほぼ平行な２本の破れ線が生じ、この２本の破れ線で囲われた部分が除かれることによって、商品の取出し口が形成される。
【００１１】
本発明の好ましいブリスター容器は、前記閉塞シートの第１側辺の外側には、第１側辺側へ上向きに傾斜した導き用切り目が刻設されている。
かかる好ましいブリスター容器は、仮に、破れ線が案内シートの第１側辺から逸れていったとしても、その破れ線が導き用切り目に至ると、破れ線は案内シートの第１側辺側へ導かれる。このため、第１側辺に沿って閉塞シートを確実に破いて、良好な取出し口を形成できる。
【００１２】
本発明の好ましいブリスター容器は、前記閉塞シートの第１側辺の外側には、第１側辺側へ上向きに傾斜した第１導き用切り目が刻設され、且つ、前記閉塞シートの第２側辺の外側には、第２側辺側へ上向きに傾斜した傾斜状の第２導き用切り目が刻設されており、前記第１切り込み線が、前記第１側辺から前記第１導き用切り目の下端の間に対応する前記閉塞シートの一方向一端縁部に形成され、且つ前記第２切り込み線が、前記第２側辺から前記第２導き用切り目の下端の間に対応する前記閉塞シートの一方向一端縁部に形成されている。
かかる好ましいブリスター容器の第１及び第２切り込み線から閉塞シートをそれぞれ破いていくと、その２つの破れ線が第１導き用切り目及び第２導き用切り目に至り、両破れ線は案内シートの第１側辺側及び第２側辺側へとそれぞれ導かれる。このため、第１側辺及び第２側辺に沿って閉塞シートを確実に破いて、良好な取出し口を形成できる。
【発明の効果】
【００１３】
本発明のブリスター容器は、その流通過程において、閉塞シートが破損するおそれがない。よって、流通過程において、商品が脱落することがないブリスター容器を提供できる。
また、本発明のブリスター容器においては、第１及び第２切り込み線を開封起点として閉塞シートを容易に破くことができる。さらに、閉塞シートを破いたとき、案内シートの第１側辺及び第２側辺に沿って破れ線が生じるので、閉塞シートの面内に、商品を取り出すことができる良好な取出し口を確実に形成できる。
【図面の簡単な説明】
【００１４】
【図１】本発明の第１実施形態に係るブリスター容器の正面図。
【図２】同背面図。
【図３】同右側面図。
【図４】図１のＩＶ−ＩＶ線断面図。
【図５】図１のＶ−Ｖ線断面図。
【図６】第１実施形態に係る閉塞シートの正面図。ただし、閉塞シートがカバー部材に装着されたときにおける、カバー部材の収納凹部の位置関係を判りやすくするため、該収納凹部の開口縁を二点鎖線で併記している。
【図７】図６のＶＩＩａ−ＶＩＩｂ部における一部拡大正面図。
【図８】他の実施形態に係る第１コーナー辺及び第２コーナー辺を有する閉塞シートの一部拡大正面図。ただし、図６と同様に、収納凹部の開口縁を二点鎖線で併記している。
【図９】（ａ）、（ｂ）共に、第１及び第２切り込み線から閉塞シートを破いたときの状態を表した、ブリスター容器の参考背面図。
【図１０】本発明の第２実施形態に係るブリスター容器の背面図。
【図１１】第２実施形態に係る閉塞シートの一部拡大正面図。ただし、図６と同様に、収納凹部の開口縁を二点鎖線で併記している。
【図１２】本発明の他の実施形態に係る閉塞シートの正面図。ただし、図６と同様に、収納凹部の開口縁を二点鎖線で併記している。
【発明を実施するための形態】
【００１５】
以下、本発明の好ましい実施形態について、図面を参照しつつ具体的に説明する。
なお、各部の用語の接頭語として、第１、第２などを付す場合があるが、該接頭語は、用語を区別するために付加されたものであり、各部の順序や優劣などを意味しない。
【００１６】
（第１実施形態）
図１〜図７において、１は、本発明のブリスター容器を示す。
本発明のブリスター容器１は、陳列棚の支持棒に吊下げ孔を掛けて陳列する吊下げ型、陳列棚上に自立させて陳列する自立型、吊下げ及び自立の何れも可能な吊下げ自立兼用型、の何れのタイプでもよい。本発明のブリスター容器１が吊下げ型又は兼用型の場合には、その上方部に吊下げ孔が穿設される。
本発明のブリスター容器１が自立型又は兼用型の場合には、カバー部材の収納凹部の下面を陳列棚の上に置いて自立可能な構造とされる。これら吊下げ型、自立型、兼用型の各構造は、従来公知の構造を採用できる。
以下、ブリスター容器１を吊下げた状態（自立させた状態もその向きは同じ）で図示し、この状態を基準にして、上下左右という方向を指す用語を使用する。
【００１７】
ブリスター容器１は、シート材の成形品からなるカバー部材２と、カバー部材２のフランジ部２１に添付される閉塞シート３と、を有する。
カバー部材２は、平坦なシート材の面内の一部分を凸状に変形させることによって得られる。カバー部材２には、商品を収納可能な収納凹部２２が形成されており、その収納凹部２２の開口縁２２ａの周囲には、平坦状のフランジ部２１が延出されている。この開口縁２２ａは、フランジ部２１に接着された閉塞シート３が接する又は接しないという接触境界となる部分である。
【００１８】
収納凹部２２の形状は、特に限定されず、商品の形状などに応じて適宜設定できる。
本実施形態では、収納凹部２２の開口縁２２ａは、略矩形状（具体的には、上下に長い長方形状）に形成されている。
この略矩形状の開口縁２２ａを構成する４辺のうち、対向する２辺（第１辺２２ａ’と第２辺２２ａ”。開口縁２２ａが長方形状の場合には、その２辺（第１辺２２ａ’及び第２辺２２ａ”）は何れも長辺）は、上下方向Ｘにほぼ平行に延び、残る２辺（第３辺と第４辺。開口縁２２ａが長方形状の場合には、第３辺及び第４辺は何れも短辺）は、左右方向Ｙに延びている。
ここで、本実施形態においては、前記上下方向Ｘは、閉塞シート３の一方向に相当し、左右方向Ｙは、前記一方向と直交する方向に相当する。
【００１９】
収納凹部２２は、前記開口縁２２ａの第３辺及び第４辺からそれぞれ外側に突設された上面部２２１及び下面部２２２と、開口縁２２ａの第１辺２２ａ’及び第２辺２２ａ”からそれぞれ外側に突設された両側面部２２３，２２３と、上下面部２２１，２２２の各外端及び両側面部２２３，２２３の各外端に連設された突出面部２２４と、から構成された凹状部分である。
図示した収納凹部２２は、これら各面部２２１〜２２４が何れも平坦状であるが、平坦状に限られず、湾曲面状であってもよいし、その他、任意の形状に形成されていてもよい。
【００２０】
収納凹部２２の形成位置は、特に限定されず、カバー部材２の中央部、上方寄り、下方寄り、左寄り、右寄りの何れでもよい。
本実施形態では、収納凹部２２は、カバー部材２の中央下方寄りの位置に形成され、収納凹部２２の下面部２２２がフランジ部２１の下縁２１ａの近傍に位置している。従って、フランジ部２１は、主として、収納凹部２２の開口縁２２ａの３辺（第１辺、第２辺及び第３辺）の外側に大きく拡がって延設されており、収納凹部２２の第４辺からは、僅かにフランジ部２１が延設されているに過ぎない。かかるブリスター容器１は、収納凹部２２の下面部２２２を陳列棚上に置いて自立できる、自立型又は兼用型である。
カバー部材２（フランジ部２１）の外形は、特に限定されないが、一般には、略矩形状である。
【００２１】
前記カバー部材２の収納凹部２２と閉塞シート３の間に、商品が収納される。
収納する商品は、特に限定されない。本発明のブリスター容器１は、化粧品、医薬品、食品、乾電池、おもちゃ、文房具、電子機器類、建築部品などの従来公知の各種商品を収納できる。
【００２２】
閉塞シート３は、前記カバー部材２の収納凹部２２の開口を塞ぐために、フランジ部２１に接着されている。
本実施形態の閉塞シート３は、カバー部材２（フランジ部２１）の外形と略同じ形状（大きさ）に形成されている。
もっとも、閉塞シート３は、収納凹部２２の開口を塞ぎ且つ容易に離れない程度にフランジ部２１に対して接着していればよいので、閉塞シート３は、必ずしもカバー部材２の外形と略同形状に形成する必要性はない。容易に離れない程度の接着幅を以てフランジ部２１に接着していれば、閉塞シート３は、カバー部材２の外形よりも小さくてもよい。また、閉塞シート３は、カバー部材２の外形よりも大きくてもよい。このように閉塞シート３が大きい場合、フランジ部２１の外周縁全体又は外周縁の一部から、閉塞シート３の外周縁部全体又は外周縁部の一部が舌状に延出される。
【００２３】
前記閉塞シート３は、その一方向（本実施形態では上下方向Ｘ）に引き裂き性を有し、フランジ部２１に対面する範囲に接着領域３１１が設けられている。さらに、閉塞シート３には、収納凹部２２の開口縁２２ａの内側にほぼ対面する範囲に、案内シート５が積層されている。案内シート５は、接着剤層を介して閉塞シート３に接着されていてもよいし、その他の手段で接着されていてもよい。
前記接着領域３１１は、フランジ部２１に接着し得る部分を意味する。閉塞シート３は、カバー本体２から容易に離れない程度にフランジ部２１に対して接着していればよいので、前記接着領域３１１は、フランジ部２１の全体に対応するように設けられていなくてもよい。従って、閉塞シート３は、フランジ部２１の全面に接着されていてもよいし、開口の周囲を囲繞するように、フランジ部２１の一部分に接着されていてもよい。例えば、開口縁２２ａの周縁部に対応する部分を除いてフランジ部２１に対面するように、接着領域３１１が閉塞シート３に設けられていてもよい（この場合には、フランジ部２１のうち開口縁２２ａの周縁部と閉塞シート３とが非接着となる）。
また、案内シート５の表面は、フランジ部２１や商品などに接着しないことが好ましいが、案内シート５の表面内の一部分に、商品に接着し得る接着部が設けられていてもよい。例えば、案内シート５の裏面側に粘着剤層が実質的にベタ状に設けられる場合、この案内シート５の面内の一部分（ほぼ中央部など）に窓部を穿設し、この窓部から前記粘着剤層が露出するようにしてもよい。かかる窓部から粘着剤層を露出させることにより、案内シート５の面内の一部分に、商品と接着し得る接着部を形成できる。このように案内シート５に商品に接着し得る接着部を設けることによって、収納した商品が前記接着部に付着するので、収納凹部２２内で移動することを防止できる。
【００２４】
前記接着領域３１１は、例えば、フランジ部２１にほぼ対面する所定範囲に、粘着剤（又は接着剤）を塗工することによって形成できる。
粘着剤としては、従来公知の粘着剤を使用でき、例えば、感圧型粘着剤、感熱型粘着剤などが挙げられる。感圧型粘着剤は、常温で粘着性を示し、少しの力で押さえることによって被着体に接着し得る粘着剤である。感熱型粘着剤は、常温で粘着性を示さず、所定温度以上に加熱することによって粘着力を発揮する粘着剤である。なお、本明細書において、粘着剤には、一般に接着剤と呼ばれるものも含まれる。
接着するときに加熱しなくてもよいことから、感圧型粘着剤を用いることが好ましい。
以下、感圧型粘着剤を用いた形態を中心に説明するが、本発明の閉塞シート３は、感圧型粘着剤を使用する場合に限定されない。
【００２５】
具体的には、図４及び図５に示すように、閉塞シート３は、上下方向Ｘ（一方向）に引き裂き性を有するベースシート３１と、ベースシート３１の表面全体に感圧型粘着剤を塗工することによって形成された粘着剤層３２と、前記粘着剤層３２の表面のうちフランジ部２１にほぼ対面する範囲を除いて粘着剤層３２の上に貼付された案内シート５と、を有する。
案内シート５が貼り付けられた領域においては、粘着剤層３２が隠蔽され、この領域は、収納凹部２２の開口にほぼ対面している。案内シート５が貼り付けられていない領域は、粘着剤層３２が露出した接着領域３１１であり、フランジ部２１に対面している。
【００２６】
なお、上記閉塞シート３の接着領域３１１は、所定範囲のみに感圧型粘着剤を塗工することによって形成できる（いわゆる、感圧型粘着剤の部分塗工によって形成できる）。
もっとも、感圧型粘着剤を部分塗工することは現実的には困難である、及び、本発明では閉塞シート３に案内シート５が積層されていることが必須であるという２つの理由から、上述のように、ベースシート３１の表面全体に感圧型粘着剤を塗工し、接着領域３１１を除いた範囲に案内シート５を貼付する方式が好ましい。このような方式によれば、閉塞シート３の接着領域３１１を所定範囲に形成できると同時に、案内シート５を閉塞シート３に積層接着できる。
【００２７】
ベースシート３１は、一方向に引き裂き性（引き裂き力を加えたときに、シートの面内に生じる引き裂きが一方向に進みやすい性質）を有していれば、特に限定されず、公知のシートを使用できる。なお、ベースシート３１は、少なくとも一方向に引き裂き性を有していればよいので、一方向及び一方向以外の方向（例えば他方向）の双方に引き裂き性を有していてもよい。このようなシートとしては、少なくとも一方向に延伸（少なくとも一軸延伸）された合成樹脂製シート（合成紙を含む）などが挙げられる。また、前記一方向及び一方向と略直交する方向にそれぞれ延伸（二軸延伸）された合成樹脂製シートを用いてもよい。
合成樹脂としては、ポリプロプレン系、ポリエチレン系、ポリエステル系、ポリスチレン系、ポリ塩化ビニル系などが挙げられる。中でも、ポリエステル系のシートが好ましく、特に芳香族ポリエステル系のシートがより好ましい。
ベースシート３１が、合成樹脂製シートからなる場合、ポリマーの主たる配向方向と平行な方向に最も裂けやすい。従って、例えば、ポリマーの配向が延伸によって付与されている場合には、前記主たる配向方向は主たる延伸方向と一致する。
ベースシート３１の厚みは、通常、４０μｍ〜３００μｍ程度である。
前記ベースシート３１には、必要に応じて、商品名、絵柄、商品説明などの意匠印刷が施されている。
ベースシート３１は、カバー部材２（フランジ部２１）の外形と略同じ形状（大きさ）に形成されている。
【００２８】
粘着剤層３２は、ベースシート３１の表面全体に、感圧型粘着剤を実質的にベタ状に塗工することにより形成されている。本明細書において、「実質的にベタ状」とは、絶え間ない均一な状態のみならず、平面視格子状、平面視網目状、無数の点が集まった形状などを含む意味である。
感圧型粘着剤は、常温（例えば２５℃）で粘着性を示せば、その材質や形態は特に限定されない。感圧型粘着剤としては、例えば、天然ゴム系粘着剤、合成ゴム系粘着剤、ポリアクリル酸エステル系粘着剤、ポリビニルエーテル系粘着剤、シリコーン系粘着剤などが挙げられる。また、該粘着剤の形態としては、溶剤系、無溶剤系、水系、ホットメルト系（このホットメルト系とは、加熱して塗工し、塗工後、常温で粘着性を示す形態の粘着剤である）などが挙げられる。
粘着剤層３２の厚みは、通常、５μｍ〜５０μｍ程度、好ましくは１０μｍ〜３０μｍである。
【００２９】
案内シート５は、粘着剤層３２の粘着力を隠蔽するように、粘着剤層３２上に貼付されている。案内シート５は、閉塞シート３を破いたときにベースシート３１から剥離しない程度の接着力を有して、ベースシート３１に接着されている。
案内シート５としては、紙、合成樹脂製シート（合成紙を含む）及びこれらの積層シートなどが挙げられる。
具体的には、案内シート５としては、例えば、厚み１００μｍ〜２００μｍ程度の紙、又は、厚み１０μｍ〜１００μｍ程度の合成樹脂製シートなどが挙げられる。好ましくは、案内シート５は、前記合成樹脂製シート又は合成樹脂製シートの積層体である。案内シート５は、何れかの方向に引き裂き性を有するシートでもよいし、特定の方向に引き裂き性を有しないシートでもよい。好ましくは、案内シート５は、閉塞シート３に比して、一方向（閉塞シート３の引き裂き性と平行な方向）に裂け難い性質を有するシートが用いられる。
また、上記ベースシート３１に表された意匠印刷を透視できるようにするため、案内シート５は、透明なシートであることが好ましい。なお、案内シート５にも、必要に応じて、商品名などの意匠印刷が施されていてもよい。
【００３０】
前記案内シート５の外形（大きさ）は、収納凹部２２の開口縁２２ａの形状と略同じ又は当該形状よりも少し小さい相似形が好ましい。
本実施形態では、収納凹部２２の開口縁２２ａが略矩形状に形成されているので、案内シート５の外形は、開口縁２２ａと略同じ大きさの略矩形状又はそれより小さい略矩形状に形成されている。もっとも、案内シート５の外形は、案内シート５の周縁部の全体又は一部が収納凹部２２の開口縁２２ａの外側へ出るような形状（開口縁２２ａよりも大きい相似形又は開口縁２２ａとは異なる形状であって開口縁２２ａよりも大きい形状など）でもよい。
【００３１】
この略矩形状の案内シート５の対向する２つの側辺（第１側辺５１ｓ及び第２側辺５２ｓ。案内シート５が長方形状の場合には、２つの側辺（第１側辺５１ｓ及び第２側辺５２ｓ）は何れも長辺）は、それぞれ上下方向Ｘにほぼ平行に延びている。換言すると、案内シート５は、閉塞シート３の一方向に延びる２つの側辺（第１側辺５１ｓ及び第２側辺５２ｓ）を有する。
閉塞シート３がカバー部材２のフランジ部２１に接着された状態において、前記案内シート５の第１側辺５１ｓ及び第２側辺５２ｓが、閉塞シート３とフランジ部２１が接着された領域の内側（閉塞シート３の接着領域３１１の内側）に位置するように、前記案内シート５が閉塞シート３に配置されている。好ましくは、前記案内シート５の第１側辺５１ｓ及び第２側辺５２ｓが、収納凹部２２の開口縁２２ａの内側に位置するように、前記案内シート５が閉塞シート３に配置されている。
本実施形態では、案内シート５の第１側辺５１ｓは、開口縁２２ａの内側であって、開口縁２２ａの第１辺２２ａ’の近傍において第１辺２２ａ’とほぼ平行に延び、一方、案内シート５の第２側辺５２ｓは、開口縁２２ａの内側であって、開口縁２２ａの第２辺２２ａ”の近傍において第２辺２２ａ”とほぼ平行に延びている。
【００３２】
また、案内シート５の４つの角部は、角取りされて円弧状に形成されており、従って、案内シート５は、円弧状の４つのコーナー辺を有する。
具体的には、案内シート５の４つのコーナー辺は、第１側辺５１ｓの下端（一方向一端）に連なる円弧状の第１コーナー辺５１ｃと、第２側辺５２ｓの下端（一方向一端）に連なる円弧状の第２コーナー辺５２ｃと、第１側辺５１ｓの上端（一方向他端）に連なる円弧状の第３コーナー辺５３ｃと、第２側辺５２ｓの上端（一方向他端）に連なる円弧状の第４コーナー辺５４ｃと、からなる。
これら各コーナー辺５１ｃ，５２ｃ，５３ｃ，５４ｃは、その一端と他端の間において円弧状（外側に膨らむ円弧状）を成している。
なお、案内シート５の各コーナー辺５１ｃ，５２ｃ，５３ｃ，５４ｃは、円弧状に限られず、例えば、図８に示すように、少なくとも第１コーナー辺５１ｃ及び第２コーナー辺５２ｃが傾斜状（第１側辺５１ｓ又は第２側辺５２ｓと各コーナー辺との内角αが鈍角となる傾斜状であり、好ましくは、前記内角αが１２０度〜１６０度となる傾斜状）に形成されていてもよい。
【００３３】
前記案内シート５が貼付された領域は、該案内シート５の厚み相当分だけ閉塞シート３が厚くなっている。
このため、案内シート５の全周辺（第１側辺５１ｓ、第２側辺５２ｓ及び各コーナー辺５１ｃ，５２ｃ，５３ｃ，５４ｃなど）とベースシート３１との間には、案内シート５の厚み相当分の段差が形成されている。この段差が、閉塞シート３（ベースシート３１）を破くときの当て定規の如き作用をもたらし、破れ線が第１側辺５１ｓ及び第２側辺５２ｓに沿って生じることになる。
【００３４】
また、上記閉塞シート３の下端縁部（一方向一端縁部）には、一対の切り込み線６１，６２が形成されている。この一対の切り込み線６１，６２は、閉塞シート３を開封する際の起点となる。この切り込み線６１，６２は、上下方向Ｘに延びる短い直線状の切り込みである。一方の切り込み線を第１切り込み線６１といい、他方を第２切り込み線６２という。
第１切り込み線６１は、案内シート５の第１側辺５１ｓの延長線の近傍（第１側辺５１ｓの延長線の内側における近傍位置）に対応する閉塞シート３の下端縁部に形成されている。第２切り込み線６２は、案内シート５の第２側辺５２ｓの延長線の近傍（第２側辺５２ｓの延長線の内側における近傍位置）に対応する閉塞シート３の下端縁部に形成されている。
【００３５】
具体的には、第１切り込み線６１は、図７にも示すように、前記案内シート５の第１コーナー辺５１ｃの一端５１ｃ’から他端５１ｃ”の間（第１コーナー辺５１ｃが円弧状に形成されている場合には、その円弧の範囲内。第１コーナー辺５１ｃが傾斜状に形成されている場合には、その傾斜した範囲内。）に対応する閉塞シート３の下端縁部に形成されている。換言すると、第１コーナー辺５１ｃの一端５１ｃ’及び他端５１ｃ”から閉塞シート３の下端縁部に向かって、上下方向Ｘの仮想線をそれぞれ引いたとき、前記各仮想線と下端縁部との２箇所の交点の間に、第１切り込み線６１は形成されている。
第２切り込み線６２は、前記案内シート５の第２コーナー辺５２ｃの一端５２ｃ’から他端５２ｃ”の間（第２コーナー辺５２ｃが円弧状に形成されている場合には、その円弧の範囲内。第２コーナー辺５２ｃが傾斜状に形成されている場合には、その傾斜した範囲内。）に対応する閉塞シート３の下端縁部に形成されている。換言すると、第２コーナー辺５２ｃの一端５２ｃ’及び他端５２ｃ”から閉塞シート３の下端縁部に向かって、上下方向Ｘの仮想線をそれぞれ引いたとき、前記各仮想線と下端縁部との２箇所の交点の間に、第２切り込み線６２は形成されている。
【００３６】
さらに、閉塞シート３の面内には、導き用切り目が刻設されている。第１切り込み線６１及び第２切り込み線６２を起点として閉塞シート３を破り、それによって閉塞シート３の面内に生じる破れ線が、仮に外側へ歪んでしまったときに、当該破れ線を案内シート５の第１側辺５１ｓ又は第２側辺５２ｓへ導く目的で、前記導き用切り目が設けられている。
導き用切り目は、左右一対設けられている。一方の導き用切り目を第１導き用切り目７１といい、他方を第２導き用切り目７２という。
【００３７】
第１導き用切り目７１は、閉塞シート３の面内のうち、第１側辺５１ｓの外側（左外側）に傾斜状に刻設された切り込みである。
具体的には、第１導き用切り目７１は、閉塞シート３の第１側辺５１ｓの中途部の外側に設けられている。第１導き用切り目７１の上端（一端）は、案内シート５の第１側辺５１ｓに接し又は第１側辺５１ｓの外側近傍に位置し、第１導き用切り目７１の下端（他端）は、前記上端を基準にして左外側下方に位置しており、前記上端と下端の間が直線状に切り込まれることによって、第１側辺５１ｓ側に向かって上向き傾斜した第１導き用切り目７１が形成されている。第１導き用切り目７１の傾斜角は特に限定されないが、好ましくは第１導き用切り目７１と第１側辺５１ｓとの成す角βが鋭角であり、より好ましくは、前記成す角βが３０度〜８０度である。前記成す角βが余りに小さいと、第１導き用切り目７１を非常に長く刻設しなければならず、前記成す角βが余りに大きいと破れ線を第１側辺５１ｓへ確実に導けない場合がある。
第１導き用切り目７１は、第１側辺５１ｓの外側に位置していればよいが、第１側辺５１ｓの外側下方に位置していることが好ましく、第１側辺５１ｓの外側で且つ第１コーナー辺５１ｃの一端５１ｃ’の上方近傍に位置していることが好ましい。第１導き用切り目７１は、逸れた破れ線を第１側辺５１ｓに戻すために形成されているので、第１導き用切り目７１を余りに第１側辺５１ｓの上方側に形成した場合には、破れ線を第１側辺５１ｓに戻す働きを実質的に奏しない虞がある。
【００３８】
一方、第２導き用切り目７２は、閉塞シート３の面内のうち、第２側辺５２ｓの外側（右外側）に傾斜状に刻設された切り込みである。
具体的には、第２導き用切り目７２は、閉塞シート３の第２側辺５２ｓの中途部の外側に設けられている。第２導き用切り目７２の上端（一端）は、案内シート５の第２側辺５２ｓに接し又は第２側辺５２ｓの外側近傍に位置し、第２導き用切り目７２の下端（他端）は、前記上端を基準にして右外側下方に位置しており、前記上端と下端の間が直線状に切り込まれることによって、第２側辺５２ｓ側に向かって上向き傾斜した第２導き用切り目７２が形成されている。第２導き用切り目７２の傾斜角は特に限定されないが、好ましくは第２導き用切り目７２と第２側辺５２ｓとの成す角βが鋭角であり、より好ましくは、前記成す角βが３０度〜８０度である。
第２導き用切り目７２も、第１導き用切り目７１と同様の理由から、第２側辺５２ｓの外側下方に位置していることが好ましく、第２側辺５２ｓの外側で且つ第２コーナー辺５２ｃの一端５２ｃ’の上方近傍に位置していることが好ましい。
第１導き用切り目７１及び第２導き用切り目７２の形成位置は、案内シート５を挟んで左右対称であってもよいし、左右非対称であってもよいが、通常、第１及び第２導き用切り目７２は、左右対称的に設けられる。
なお、第１導き用切り目７１及び第２導き用切り目７２は、案内シート５を直線状に切り込むことによって形成されている場合に限られず、例えば、弧状に切り込んで形成されていもよい。
また、第１導き用切り目７１及び第２導き用切り目７２の各上端が、案内シート５の第１側辺５１ｓ及び第２側辺５２ｓに接していなくても、該上端が第１側辺５１ｓ及び第２側辺５２ｓの近傍に形成されていれば、本発明の効果を奏する。
【００３９】
本実施形態のブリスター容器１は、吊下げ型又は兼用型である。従って、フランジ部２１及び閉塞シート３の上方部に、両者を貫通する吊下げ孔９が形成されている。
【００４０】
上記ブリスター容器１は、従来のブリスター容器１のような開封用のミシン目が閉塞シート３に形成されていない。このため、上記ブリスター容器１は、流通過程において、開封用のミシン目の予期せぬ破断によって閉塞シート３が破損することがない。よって、上記ブリスター容器１は、流通中に商品が脱落するおそれがない。
【００４１】
上記ブリスター容器１においては、消費者が閉塞シート３を破き、閉塞シート３の面内に取出し口を形成することによって、商品を取り出すことができる。
すなわち、開封時には、第１切り込み線６１及び第２切り込み線６２の間における閉塞シート３の下端縁部を指で摘み、これを外側に引き出す。すると、図９（ａ）に示すように、前記第１切り込み線６１及び第２切り込み線６２を起点として、閉塞シート３の面内に２本の破れ線Ａ１，Ａ２が生じる。閉塞シート３は、上下方向Ｘに引き裂き性を有するので、前記２本の破れ線Ａ１，Ａ２は、上下方向Ｘに生じ易い。そして、第１切り込み線６１を起点として生じた破れ線Ａ１は、第１切り込み線６１の上方に位置する案内シート５の第１コーナー辺５１ｃに至り、第２切り込み線６２を起点として生じた破れ線Ａ２は、第２切り込み線６２の上方に位置する案内シート５の第２コーナー辺５２ｃに至る。閉塞シート３上に厚みのある案内シート５が積層され且つ案内シート５の第１コーナー辺５１ｃ及び第２コーナー辺５２ｃが外側に膨らむ円弧状（又は傾斜状）に形成されているので、この各コーナー辺の形状に沿って、閉塞シート３が破れていく（両破れ線Ａ１，Ａ２が延長されていく）。そして、第１コーナー辺５１ｃは第１側辺５１ｓに連設され且つ第２コーナー辺５２ｃは第２側辺５２ｓに連設されているので、両破れ線Ａ１，Ａ２は、第１コーナー辺５１ｃ及び第２コーナー辺５２ｃから第１側辺５１ｓ及び第２側辺５２ｓへとそれぞれ至る。第１側辺５１ｓ及び第２側辺５２ｓは、閉塞シート３の引き裂き方向と同様に上下方向Ｘに延びているため、前記閉塞シート３の引き裂き性と第１側辺５１ｓ及び第２側辺５２ｓが相乗して、第１側辺５１ｓ及び第２側辺５２ｓに沿って閉塞シート３が破れていく。第１側辺５１ｓ及び第２側辺５２ｓは収納凹部２２の開口縁２２ａの内側に配置されているので、前記開口縁２２ａの内側に対応する閉塞シート３の面内にほぼ平行な２本の破れ線Ａ１，Ａ２が生じていく。この２本の破れ線Ａ１，Ａ２で囲われた部分に、案内シート５と略同幅の、商品の取出し口が形成される。
【００４２】
本実施形態のブリスター容器１によれば、破れ線が無秩序な方向に生じず、第１側辺５１ｓ及び第２側辺５２ｓに沿った綺麗な破れ線が閉塞シート３に生じるので、商品を取り出すことができる良好な取出し口を形成できる。
【００４３】
上述のように、閉塞シート３は引き裂き性を有するので、破れ線は、通常、第１側辺５１ｓ及び第２側辺５２ｓに沿って上下方向Ｘに直線状に生じていくが、例えば、閉塞シート３の下端縁部を指で摘み且つこれを斜めに引き出した場合には、破れ線が、上下方向Ｘに対して僅かに傾斜しながら生じることがある。このように破れ線が傾斜すると、第１側辺５１ｓ又は第２側辺５２ｓに沿って閉塞シート３が破れないおそれがある。
この点、本発明のブリスター容器１は、閉塞シート３の面内に、第１導き用切り目７１及び第２導き用切り目７２が形成されている。このため、図９（ｂ）に示すように、２本の破れ線Ａ１，Ａ２のうち、何れか一方の破れ線が第１側辺５１ｓ又は第２側辺５２ｓから逸れたとしても（図９（ｂ）では破れ線Ａ１が逸れた状態を表している）、この逸れた破れ線Ａ１が、第１導き用切り目７１に至ると、当該破れ線Ａ１は、第１導き用切り目７１の形成方向に従って、案内シート５の第１側辺５１ｓへ導かれる。事後、第１側辺５１ｓ及び第２側辺５２ｓに沿って閉塞シート３が破れていき、良好な取出し口を形成できる。
【００４４】
なお、本実施形態におけるブリスター容器１においては、第１切り込み線６１及び第２切り込み線６２は、その上下方向延長線がそれぞれ第１コーナー辺５１ｃ及び第２コーナー辺５２ｃに交わるような位置に形成されているが、例えば、第１切り込み線６１が、第１側辺５１ｓから第１導き用切り目７１の下端の間に対応する閉塞シート３の一端縁部に形成され、且つ第２切り込み線６２が、第２側辺５２ｓから第２導き用切り目７２の下端の間に対応する閉塞シート３の一端縁部に形成されていもよい。
上記コーナー辺が案内シート５に形成され且つ導き用切り目が閉塞シート５に形成されている場合、第１切り込み線６１は、第１コーナー辺５１ｃの他端５１ｃ”から第１導き用切り目７１の下端の間に対応する閉塞シート３の一端縁部に形成され、且つ、第２切り込み線６２は、第２コーナー辺５２ｃの他端５２ｃ”から第２導き用切り目７２の下端の間に対応する閉塞シート３の一端縁部に形成されていればよい。
さらに、本実施形態においては、導き用切り目は、左右一対設けられているが、左右何れか一方だけに形成されていてもよい。
また、ブリスター容器１の閉塞シート３に、導き用切り目が形成されていなくてもよい。導き用切り目が形成されていない場合には、第１側辺５１ｓ又は第２側辺５２ｓから逸脱した破れ線を元に戻すことが困難となるが、閉塞シート３の引き裂き性に従って、前記逸脱した破れ線は、上下方向Ｘにほぼ直線状に延長されていく。よって、閉塞シート３の面内に、概ね良好な取出し口を形成できる。
【００４５】
（第２実施形態）
第２実施形態のブリスター容器１は、第１切り込み線６１及び第２切り込み線６２の形成位置が、上記第１実施形態とは異なっている。以下、主として上記第１実施形態と異なる構成及び作用効果について説明し、同様の構成などについては、その説明を省略し、用語及び図番を援用することがある。
【００４６】
本実施形態のブリスター容器１は、図１０及び図１１に示すように、第１切り込み線６１が、案内シート５の第１側辺５１ｓの延長線の近傍（第１側辺５１ｓの延長線の外側における近傍位置）に対応する閉塞シート３の下端縁部に形成されている。第２切り込み線６２は、案内シート５の第２側辺５２ｓの延長線の近傍位置（第２側辺５２ｓの延長線の外側における近傍位置）に対応する閉塞シート３の下端縁部に形成されている。
【００４７】
具体的には、第１切り込み線６１は、第１側辺５１ｓから第１導き用切り目７１の下端の間に対応する閉塞シート３の一端縁部に形成されている。換言すると、第１側辺５１ｓ及び第１導き用切り目７１の下端からそれぞれ閉塞シート３の下端縁部に向かって、上下方向Ｘの仮想線をそれぞれ引いたとき、前記各仮想線と下端縁部との２箇所の交点の間に、第１切り込み線６１が形成されている。
好ましくは、第１切り込み線６１は、第１導き用切り目７１の上端（一端）から下端（他端）の間に対応する前記閉塞シート３の下端縁部に形成されている。換言すると、第１切り込み線６１の先端から上下方向Ｘに仮想線を引いたときに、当該仮想線が第１導き用切り目７１に交差するような位置に、第１切り込み線６１が形成されている。
特に、第１切り込み線６１は、その先端から上下方向Ｘに引いた仮想線が第１導き用切り目７１に交差するような位置であって、案内シート５の第１側辺５１ｓと開口縁２２ａの第１辺２２ａ’の間に対応する閉塞シート３の下端縁部に形成されていることがより好ましい。このように第１側辺５１ｓと開口縁２２ａの第１辺２２ａ’の間に第１切り込み線６１が形成されていると、第１切り込み線６１の延長線上に、閉塞シート３とフランジ部２１が非接着な領域が位置している。従って、開封時、第１切り込み線６１を起点として閉塞シート３を破いたとき、前記第１側辺５１ｓと第１辺２２ａ’の間に沿って上下方向Ｘに破れ線が生じ易いので好ましい。
なお、前記第１導き用切り目７１は、上記実施形態と同様に、第１側辺５１ｓの外側における閉塞シート３の面内に上向き傾斜状に刻設された切り込みである。
【００４８】
第２切り込み線６２は、第２側辺５２ｓから第２導き用切り目７２の下端の間に対応する閉塞シート３の一端縁部に形成されている。換言すると、第２側辺５２ｓ及び第２導き用切り目７２の下端からそれぞれ閉塞シート３の下端縁部に向かって、上下方向Ｘの仮想線をそれぞれ引いたとき、前記各仮想線と下端縁部との２箇所の交点の間に、第２切り込み線６２が形成されている。
好ましくは、第２切り込み線６２は、第２導き用切り目７２の上端（一端）から下端（他端）の間に対応する前記閉塞シート３の下端縁部に形成されている。換言すると、第２切り込み線６２の先端から上下方向Ｘに仮想線を引いたときに、当該仮想線が第２導き用切り目７２に交差するような位置に、第２切り込み線６２が形成されている。特に、第２切り込み線６２は、その先端から上下方向Ｘに引いた仮想線が第２導き用切り目７２に交差するような位置であって、案内シート５の第２側辺５２ｓと開口縁２２ａの第２辺２２ａ”の間に対応する閉塞シート３の下端縁部に形成されていることが好ましい。このような位置に第２切り込み線６２が形成されていると、該第２切り込み線６２を起点として閉塞シート３を破いたとき、前記第２側辺５２ｓと第２辺２２ａ”の間に沿って上下方向Ｘに破れ線が生じ易いので好ましい。
なお、前記第２導き用切り目７２は、上記実施形態と同様に、第２側辺５２ｓの外側における閉塞シート３の面内に上向き傾斜状に刻設された切り込みである。
【００４９】
本実施形態のブリスター容器１を開封する際には、第１切り込み線６１及び第２切り込み線６２の間における閉塞シート３の下端縁部を指で摘み、これを外側に引き出す。すると、前記第１切り込み線６１及び第２切り込み線６２を起点として、閉塞シート３の面内に２本の破れ線が生じる。閉塞シート３は、上下方向Ｘに引き裂き性を有するので、前記２本の破れ線は、上下方向Ｘに生じ易い。
そして、前記２本の破れ線は、ぞれぞれ第１導き用切り目７１及び第２導き用切り目７２に至り、各破れ線は、第１導き用切り目７１及び第２導き用切り目７２の形成方向に従って、案内シート５の第１側辺５１ｓ及び第２側辺５２ｓへそれぞれ導かれる。
よって、第１実施形態と同様に、閉塞シート３の引き裂き性と第１側辺５１ｓ及び第２側辺５２ｓが相乗して、第１側辺５１ｓ及び第２側辺５２ｓに沿って閉塞シート３が破れていき、最終的に、２本の破れ線で囲われた部分に商品の取出し口が形成される。
本実施形態のブリスター容器１によれば、破れ線が無秩序な方向に生じず、第１側辺５１ｓ及び第２側辺５２ｓに沿った綺麗な破れ線が閉塞シート３に生じるので、商品を取り出すことができる良好な取出し口を形成できる。
【００５０】
なお、本実施形態において、案内シート５の第１コーナー辺５１ｃ及び第２コーナー辺５２ｃは、上記第１実施形態と同様に、円弧状（又は傾斜状）でもよいし、直角状であってもよい。本実施形態では、第１切り込み線６１及び第２切り込み線６２を起点として生じた破れ線が、第１コーナー辺５１ｃ及び第２コーナー辺５２ｃによって第１側辺５１ｓ及び第２側辺５２ｓへと導かれるわけではないからである。
【００５１】
（その他の実施形態）
上記第１及び第２実施形態において、第１切り込み線６１及び第２切り込み線６２は、閉塞シート３の下端縁部に形成されているが、閉塞シート３の上端縁部に形成されていてもよい。この場合、収納凹部２２の上面部２２１がフランジ部２１の上縁の近傍に位置するように、カバー部材２の収納凹部２２が形成されていることが好ましい。
【００５２】
また、第１切り込み線６１及び第２切り込み線６２が、閉塞シート３の右端縁部又は左端縁部に形成されていてもよい。この場合、閉塞シート３は、左右方向Ｙに引き裂き性を有するシートが用いられる。この場合の左右方向Ｙは、閉塞シート３の一方向に相当する。
【００５３】
上記第１及び第２実施形態において、導き用切り目は、１本の切り込みからなるが、例えば、ミシン目の如く、複数の短い切り込みが断続的に繋がった切り目であってもよい。
【００５４】
さらに、上記第１及び第２実施形態において、閉塞シート３上には案内シート５のみが積層されているが、例えば、図１２に示すように、案内シート５の第１側辺５１ｓの外側及び第２側辺５２ｓの外側に、さらに、左右一対の導きシート８１，８２が積層されていてもよい。一方の導きシートを第１導きシート８１といい、他方を第２導きシート８２という。もっとも、前記導きシートは、案内シート５の第１側辺５１ｓの外側又は第２側辺５２ｓの外側の何れか一方だけに設けられていてもよい。従って、導きシートは、少なくとも案内シート５の第１側辺５１ｓの外側及び第２側辺５２ｓの外側の何れか一方に設けられていればよい。
【００５５】
具体的には、第１導きシート８１及び第２導きシート８２は、上下方向Ｘに長い帯状のシートからなる。導きシートとしては、上記案内シート５で例示したようなシートが用いられる。
第１導きシート８１は、案内シート５の第１側辺５１ｓの外側に設けられ、第１導きシート８１の対向側辺８１ｓと案内シート５の第１側辺５１ｓの間に少しの間隔を開けて設けられる。前記間隙の幅としては、例えば、０．１ｍｍ〜５ｍｍ程度である。好ましくは、第１導きシート８１の対向側辺８１ｓが開口縁２２ａの第１辺２２ａ’よりも内側となるように（つまり、第１導きシート８１の対向側辺８１ｓが開口縁２２ａの第１辺２２ａ’と案内シート５の第１側辺５１ｓの間に位置するように）、第１導きシート８１は配置される。
第２導きシート８２は、案内シート５の第２側辺５２ｓの外側に設けられ、第２導きシート８２の対向側辺８２ｓと案内シート５の第２側辺５２ｓの間に少しの間隔を開けて設けられる。前記間隙の幅としては、例えば、２ｍｍ〜１０ｍｍ程度である。好ましくは、第２導きシート８２の対向側辺８２ｓが開口縁２２ａの第２辺２２ａ”よりも内側となるように（つまり、第２導きシート８２の対向側辺８２ｓが開口縁２２ａの第２辺２２ａ”と案内シート５の第２側辺５２ｓの間に位置するように）、第２導きシート８２は配置される。
【００５６】
このブリスター容器１は、開封時、２本の破れ線が、案内シート５の第１側辺５１ｓと第１導きシート８１の対向側辺８１ｓの間隙、及び、案内シート５の第２側辺５２ｓと第２導きシート８２の対向側辺８２ｓの間隙に生じる。すなわち、破れ線が、案内シート５の第１側辺５１ｓ及び／又は第２側辺５２ｓから逸れても、第１導きシート８１の対向側辺８１ｓ及び第２導きシート８２の対向側辺８２ｓに至ると、その対向側辺を越えることがない。このため、開封時、閉塞シート３の面内が無秩序に破れず、第１側辺５１ｓ及び第２側辺５２ｓにほぼ沿って、破れ線が上下方向Ｘに生じていく。導きシートが設けられている場合、上記第１導き用切り目及び第２導き用切り目が形成されていなくても破れ線が逸れていかないが、導きシートを設けた場合であっても、第１導き用切り目及び第２導き用切り目を形成してもよい。
【００５７】
なお、本実施形態のブリスター容器１において、第１切り込み線６１及び第２切り込み線６２は、上記第１実施形態と同様に、案内シート５の第１コーナー辺５１ｃの一端から他端の間及び案内シート５の第２コーナー辺５２ｃの一端から他端の間にそれぞれ対応する閉塞シート３の下端縁部にそれぞれ形成されていてもよい（図示せず）。或いは、図１２に示すように、第１切り込み線６１及び第２切り込み線６２は、上記第２実施形態と同様に、案内シート５の第１側辺５１ｓと開口縁２２ａの第１辺２２ａ’の間及び案内シート５の第２側辺５２ｓと開口縁２２ａの第２辺２２ａ”の間にそれぞれ対応する閉塞シート３の下端縁部にそれぞれ形成されていてもよい。この場合、第１導きシート８１の内側コーナー辺８１ｃ及び第２導きシート８２の内側コーナー辺８１ｃは、図示したように円弧状（又は、図示しないが傾斜状）に形成されていることが好ましい。開封時、第１切り込み線６１及び第２切り込み線６２を起点として生じた両破れ線の何れか一方が、導きシート側に逸れたときに、その逸れた破れ線が、第１導きシート８１の内側コーナー辺８１ｃ又は第２導きシート８２の内側コーナー辺８２ｃに沿って、第１側辺５１ｓと対向側辺８１ｓの間隙、又は、第２側辺５２ｓと対向側辺８２ｓの間隙に導かれるからである。
【産業上の利用可能性】
【００５８】
本発明のブリスター容器は、各種商品の包装容器として利用できる。
【符号の説明】
【００５９】
１…ブリスター容器、２…カバー部材、２１…フランジ部、２２…収納凹部、２２ａ…収納凹部の開口縁、３…閉塞シート、５…案内シート、５１ｓ…案内シートの第１側辺、５２ｓ…案内シートの第２側辺、５１ｃ…案内シートの第１コーナー辺、５２ｃ…案内シートの第２コーナー辺、６１…第１切り込み線、６２…第２切り込み線、７１…第１導き用切り目、７２…第２導き用切り目
【図１】
0005540310.tif 000002
【図２】
0005540310.tif 000003
【図３】
0005540310.tif 000004
【図４】
0005540310.tif 000005
【図５】
0005540310.tif 000006
【図６】
0005540310.tif 000007
【図７】
0005540310.tif 000008
【図８】
0005540310.tif 000009
【図９】
0005540310.tif 000010
【図１０】
0005540310.tif 000011
【図１１】
0005540310.tif 000012
【図１２】
0005540310.tif 000013